(57)【特許請求の範囲】
【請求項１】
透明または半透明な素材からなり、表面に被打叩部が設けられたパッドと、
前記パッドの裏面における前記被打叩部の周縁の裏側の領域において前記被打叩部への打叩を検出する感圧部材を具備するセンサと、
を具備し、
前記センサは、前記被打叩部の下の表示体を露出させる開口を具備し、
前記パッドの裏面における前記被打叩部の周縁の裏側の部分に前記感圧部材に対向する押し子部が設けられている
ことを特徴とする操作検出装置。
【請求項２】
透明または半透明な素材からなり、表面に被打叩部が設けられたパッドと、
前記パッドの裏面における前記被打叩部の周縁の裏側の領域において前記被打叩部への打叩を検出する感圧部材を具備するセンサと、
表示手段と、
前記表示手段の表示面上に前記表示面との間に隙間を空けて支持された透明剛体材と、
を具備し、
前記センサは、前記被打叩部の下の表示手段を露出させる開口を具備し、
前記透明剛体材上に前記感圧部材が設けられ、前記感圧部材上に前記パッドが設けられている
ことを特徴とする操作検出装置。
【請求項３】
前記センサによって前記被打叩部への打叩が検出された場合に、当該被打叩部の下の表示体が示す音を制御するデータを出力する制御手段を具備することを特徴とする請求項１または請求項２に記載の操作検出装置。
【請求項４】
前記センサによって前記被打叩部への打叩が検出された場合に、当該被打叩部の下の電子機器の表示手段の表示に対応する制御情報を当該電子機器に出力する制御手段を具備し、
前記電子機器は、当該制御情報に応じた処理を実行することを特徴とする請求項１に記載の操作検出装置。
【発明の詳細な説明】
【技術分野】
【０００１】
本発明は、打叩による演奏操作を検出する技術に関する。
【背景技術】
【０００２】
電子楽器の中には、複数個の操作面を持ったパッドを演奏操作子とし、各操作面に異なる音色の音素材を割り当て、操作面への打叩がなされる度にその操作面に割り当ててある音素材を再生するようにしたものがある。この種の電子楽器に係わる技術を開示した文献として、特許文献１がある。この文献１に開示された電子打楽器は、利用者から見て手前に位置する操作面Ｐ１〜Ｐ６と、それらよりも利用者から離れたところに位置する操作面Ｐ７〜Ｐ１２とからなる合計１２個の操作面を有している。これら１２個の操作面Ｐ１〜Ｐ１２のうち手前の操作面Ｐ１〜Ｐ６は、真上方向を向いた姿勢で配列されている。また、操作面Ｐ７〜Ｐ１２は、利用者から見て後方の端部を前方の端部よりも僅かに持ち上げ、利用者側へ僅かに傾いた方向を向いた姿勢で配列されている。そして、この電子打楽器では、バスドラムやスネアドラムなどの各種の打楽器を模擬した音素材を各操作面Ｐ１〜Ｐ１２に割り当て、各操作面Ｐ１〜Ｐ１２への打叩を検出する度に、その操作面Ｐ１〜Ｐ１２に割り当てられている音素材を再生する。
【先行技術文献】
【特許文献】
【０００３】
【特許文献１】特開２０１０−１１３０２８号公報
【発明の開示】
【発明が解決しようとする課題】
【０００４】
しかしながら、特許文献１に開示された電子打楽器では、利用者は、演奏をしながら操作面の１つ１つに割り当てられている音素材の種類を確認することができなかった。このため、演奏を開始する前に、各操作面を試し打ちして各操作面に割り当てられている音素材の全てを了解した上で、演奏に臨まねばならなかった。
本発明は、このような背景の下に案出されたものであり、電子楽器の演奏中に、各操作面に割り当てられている音素材を利用者が瞬時に確認できるようにすることを目的とする。
【課題を解決するための手段】
【０００５】
本発明は、透明または半透明な素材からなり、表面に被打叩部が設けられたパッドと、前記パッドの裏面における前記被打叩部の周縁の裏側の領域において前記被打叩部への打叩を検出するセンサとを具備する操作検出装置を提供する。
【０００６】
本発明によると、利用者は、パッドの被打叩部の下に透けて見えるものを視認しつつ、被打叩部を打叩することができる。よって、被打叩部の下に当該被打叩部に割り当てられている音素材を示すマークや画像などを配置することにより、利用者に直感的な演奏を行わせることができる。
【図面の簡単な説明】
【０００７】
【図１】本発明の第１実施形態である操作検出装置の構成を示す図である。
【図２】同検出装置が内蔵されている操作端末とこの端末が接続されたパーソナルコンピュータとを示す図である。
【図３】同検出装置における透明パッドフレームをメンブレンシートの側から見た斜視図である。
【図４】図１（Ｂ）における透明パッドフレームのＡ−Ａ’線断面図である。
【図５】同検出装置における可撓性シートの断面図である。
【図６】本実施形態の動作を示すフローチャートである。
【図７】図１（Ａ）及び図１（Ｂ）のＬＣＤの表示領域にアイコンが表示された状態を示す図である。
【図８】本発明の第２実施形態である操作検出装置１０Ａとこの操作検出装置１０Ａが装着されるタブレット型コンピュータの構成例を示す図である。
【図９】図８の操作検出装置とタブレット型コンピュータとにより行われる演奏処理を示す図である。
【図１０】本発明の第３実施形態である操作検出装置１０Ｂとこの操作検出装置１０Ｂが装着されるタブレット型コンピュータの構成例を示す図である。
【図１１】本発明の第４実施形態である操作検出装置１０Ｃとこの操作検出装置１０Ｃ内に収納されるタブレット型コンピュータの構成例を示す図である。
【図１２】図１１の操作検出装置にタブレット型コンピュータを収納した状態を示す図である。
【図１３】本発明の他の実施形態である操作検出装置の透明パッドフレームの断面図である。
【図１４】本発明の他の実施形態である操作検出装置の透明パッドフレームの断面図である。
【図１５】本発明の他の実施形態である操作検出装置の透明パッドフレームの断面図である。
【図１６】本発明の他の実施形態である操作検出装置の透明パッドフレームの断面図及び裏面図である。
【図１７】本発明の他の実施形態である操作検出装置のメンブレンシートを示す図である。
【図１８】本発明の他の実施形態である操作検出装置の打叩検出シートを示す図である。
【発明を実施するための形態】
【０００８】
以下、図面を参照しつつ本発明の実施形態について説明する。
（第１実施形態）
図１（Ａ）は、本発明の第１実施形態である操作検出装置１０の構成を示す斜視図、図１（Ｂ）は、同検出装置１０の組立図である。図２は、操作検出装置１０が内蔵されている操作端末９０と操作端末９０が接続されたパーソナルコンピュータ９１とを示す図である。操作検出装置１０は、パーソナルコンピュータ９１からの指示に従って各種の表示を行うとともに、パーソナルコンピュータ９１の音源９２内に格納されている各種音素材データの選択や選択した音素材データの再生を指示する操作を検出し、検出した操作を示す信号をパーソナルコンピュータ９１に供給する装置である。
【０００９】
図１（Ａ）及び図１（Ｂ）に示すように、操作検出装置１０は、横幅Ｗ１及び縦幅Ｌ１の寸法の表示面１１をもった表示手段であるＬＣＤ（Liquid Crystal Display）１２の一部の表示領域１３上にタッチパネル１４を積層し、表示領域１３を除いた部分の表示領域１５上に、透明剛体材１８、メンブレンシート１７、及び透明パッドフレーム１６を積層したものである。図２に示すように、操作検出装置１０は、操作端末９０における蓋部９３とトレイ部９４とを嵌合させてなる筐体内に収容されている。そして、操作端末９０における蓋部９３に設けられた開口９９からはタッチパネル１４が露出しており、同部９３に設けられた開口２−ｋ（ｋ＝１〜６）からは透明パッドフレーム１６の被打叩部３−ｋ（ｋ＝１〜６）が露出している。
【００１０】
図１（Ａ）及び図１（Ｂ）において、ＬＣＤ１２は、パーソナルコンピュータ９１から送信される表示制御信号に従って各種画像を表示する。このＬＣＤ１２に表示される画像については、後に詳述する。
【００１１】
タッチパネル１４は、例えば、アナログ抵抗膜式のタッチパネルである。このタッチパネル１４は、表示領域１３より僅かに大きな横幅Ｗ２及び縦幅Ｌ２を有している。このタッチパネル１４は、利用者の手指が当該タッチパネル１４に接触した場合に、その接触点のＸ座標値（横幅Ｗ２方向の座標値）とＹ座標値（縦幅Ｌ２方向の座標値）を検出する。タッチパネル１４が検出したＸ座標値とＹ座標値は、Ａ／Ｄ変換部（不図示）によってアナログ信号からデジタル信号に変換され、接触点を示す座標値データＤＣＯとしてパーソナルコンピュータ９１へ送信される。
【００１２】
透明パッドフレーム１６は、複数個（図示の例では６個）の透明パッドを一体化したフレーム状の部材であり、透明シリコンゴムを素材として形成されている。透明パッドフレーム１６は、表示領域１５とほぼ同じ横幅Ｗ３及び縦幅Ｌ３（Ｌ３≒Ｌ１−Ｌ２）を有している。図３は、透明パッドフレーム１６をメンブレンシート１７の側から見た斜視図である。図４は、図１（Ｂ）における透明パッドフレーム１６のＡ−Ａ’線断面図である。透明パッドフレーム１６の表面には被打叩部３−ｋ（ｋ＝１〜６）がある。図１（Ｂ）及び図４に示すように、被打叩部３−ｋ（ｋ＝１〜６）における被打叩部３−１〜３−４は、透明パッドフレーム１６の表面における蓋部９３の開口２−１〜２−４と同寸法の正方形状の領域を、開口２−１〜２−４と同じ厚さか若しくはそれ以上の厚さに隆起させたものである。また、被打叩部３−ｋ（ｋ＝１〜６）における被打叩部３−５及び３−６は、透明パッドフレーム１６の表面における蓋部９３の開口２−５及び２−６と同寸法の長方形状の領域を、開口２−５及び２−６と同じ厚さか若しくはそれ以上の厚さに隆起させたものである。図２に示すように、操作検出装置１０が操作端末９０内に収容された状態において、被打叩部３−ｋ（ｋ＝１〜６）の各々は開口２−ｋ（ｋ＝１〜６）の各々に嵌合している。
【００１３】
図３及び図４に示すように、透明パッドフレーム１６の裏面には、メンブレンシート１７に対向する押し子部６Ｆ−ｋ（ｋ＝１〜６），６Ｂ−ｋ（ｋ＝１〜６），６Ｌ−１〜６Ｌ−４，及び６Ｒ−１〜６Ｒ−４がある。これらのうち押し子部６Ｆ−１，６Ｂ−１，６Ｌ−１，及び６Ｒ−１は、透明パッドフレーム１６の裏面における被打叩部３−１の周縁の裏側の領域を隆起させたものである。押し子部６Ｆ−２，６Ｂ−２，６Ｌ−２，及び６Ｒ−２は、透明パッドフレーム１６の裏面における被打叩部３−２の周縁の裏側の領域を隆起させたものである。押し子部６Ｆ−３，６Ｂ−３，６Ｌ−３，及び６Ｒ−３は、透明パッドフレーム１６の裏面における被打叩部３−３の周縁の裏側の領域を隆起させたものである。押し子部６Ｆ−４，６Ｂ−４，６Ｌ−４，及び６Ｒ−４は、透明パッドフレーム１６の裏面における被打叩部３−４の周縁の裏側の領域を隆起させたものである。
【００１４】
より詳細に説明すると、押し子部６Ｆ−１〜６Ｆ−４と押し子部６Ｂ−１〜６Ｂ−４は、透明パッドフレーム１６の横幅Ｗ３方向に延在している。押し子部６Ｆ−１〜６Ｆ−４と押し子部６Ｂ−１〜６Ｂ−４は、横幅Ｗ３方向の中点において厚さが最大になるように緩やかに凸んでいる。押し子部６Ｆ−１〜６Ｆ−４の各々と押し子部６Ｂ−１〜６Ｂ−４の各々との間には距離Ｄ１の間隔が空いている。押し子部６Ｌ−１〜６Ｌ−４と押し子部６Ｒ−１〜６Ｒ−４は、透明パッドフレーム１６の縦幅Ｌ３方向に延在している。押し子部６Ｌ−１〜６Ｌ−４と押し子部６Ｒ−１〜６Ｒ−４は、縦幅Ｌ３方向の中点において厚さが最大になるように緩やかに凸んでいる。押し子部６Ｌ−１〜６Ｌ−４の各々と押し子部６Ｒ−１〜６Ｒ−４の各々との間にも距離Ｄ１の間隔が空いている。
【００１５】
押し子部６Ｆ−５及び６Ｂ−５は、透明パッドフレーム１６の裏面における被打叩部３−５の周縁の縦幅Ｌ３方向に対向する２辺の裏側の領域を隆起させたものである。また、押し子部６Ｆ−６及び６Ｂ−６は、透明パッドフレーム１６の裏面における被打叩部３−６の周縁の縦幅Ｌ３方向に対向する２辺の裏側の領域を隆起させたものである。
【００１６】
より詳細に説明すると、押し子部６Ｆ−５，６Ｂ−５，６Ｆ−６，及び６Ｂ−６は、透明パッドフレーム１６の横幅Ｗ３方向に延在している。押し子部６Ｆ−５，６Ｂ−５，６Ｆ−６，及び６Ｂ−６の各々は、横幅Ｗ３方向の中点において厚さが最大になるように緩やかに凸んでいる。押し子部６Ｆ−５と押し子部６Ｂ−５との間には距離Ｄ２の間隔が空いている。押し子部６Ｆ−６と押し子部６Ｂ−６との間にも距離Ｄ２の間隔が空いている。
【００１７】
図１（Ｂ）において、透明パッドフレーム１６と表示領域１５との間に介挿されているメンブレンシート１７は、透明パッドフレーム１６の裏面における被打叩部３−ｋの裏側の領域において、被打叩部３−ｋへの打叩を検出するセンサである。このメンブレンシート１７は、感圧部材としての役割を果たす２枚の可撓性シート１９及び２０からなる。可撓性シート１９及び２０は、透明パッドフレーム１６よりも僅かに大きな横幅Ｗ４及び縦幅Ｌ４を有している。可撓性シート１９における被打叩部３−ｋ（ｋ＝１〜６）の真下を占める領域には、開口４−ｋ（ｋ＝１〜６）が設けられている。可撓性シート２０における被打叩部３−ｋ（ｋ＝１〜６）の真下を占める領域にも、開口５−ｋ（ｋ＝１〜６）が設けられている。開口４−ｋ及び５−ｋの真上の被打叩部３−ｋは透明な素材から形成されている。このため、ＬＣＤ１２の表示領域１５における開口４−ｋ及び開口５−ｋの真下の位置の表示内容は、開口５−ｋ及び開口４−ｋと被打叩部３−ｋを介して外部に露出する。
【００１８】
図５の断面図に示すように、可撓性シート１９の裏面における開口４−ｋの周囲には接点電極ＰＵＰＰがある。この接点電極ＰＵＰＰは、カーボンペーストをスクリーン印刷するなどにより形成されたものである。可撓性シート２０の表面における開口５−ｋの周囲には接点電極ＰＬＯＷと配線（不図示）とを含む銅泊パターンがある。そして、可撓性シート１９における隣り合う開口４−ｋ間の隙間と可撓性シート２０における隣り合う開口５−ｋ間の隙間の間にはスペーサＳが介在しており、可撓性シート１９の裏面の接点電極ＰＵＰＰと可撓性シート２０の表面の接点電極ＰＬＯＷとの間にはこのスペーサＳの厚さ分の空隙が確保されている。このスペーサＳは、隣り合うセンサである各開口４−ｋの周囲の接点電極ＰＵＰＰが誤動作により押し込まれるのを防ぐ役割も果たしている。
【００１９】
メンブレンシート１７における可撓性シート１９の裏面に形成されている接点電極ＰＵＰＰと可撓性シート２０の表面に形成されている接点電極ＰＬＯＷは、被打叩部３−ｋへの打叩に応じてＯＮになるスイッチとしての役割を果たす。より具体的に説明すると、被打叩部３−ｋ（ｋ＝１〜６）のいずれかが打叩された場合、打叩された被打叩部３−ｋ（例えば、被打叩部３−１とする）とその裏側の押し子部６Ｆ−１，６Ｂ−１，６Ｌ−１，６Ｒ−１が撓む。そして、撓んだ押し子部６Ｆ−１，６Ｂ−１，６Ｌ−１，６Ｒ−１が可撓性シート１９における開口４−１の周囲の部分を下方向に押し下げ、その部分を可撓性シート２０における開口５−１の周囲の部分に近づける。可撓性シート１９における開口４−１の周囲の部分が可撓性シート２０の裏面における開口５−１の周囲の部分に近づいて両シート１９及び２０の接点電極ＰＵＰＰ及びＰＬＯＷが接触すると、可撓性シート２０の銅泊パターンから得られる出力電圧Ｖが接点電極ＰＵＰＰ及びＰＬＯＷの接触面積に応じて大きくなる。そして、この出力電圧Ｖは、Ａ／Ｄ変換部（不図示）によってアナログ信号からデジタル信号に変換され、被打叩部３−１に対する打叩の強度を示す打叩強度値データＤＳＴ−１としてパーソナルコンピュータ９１へ送信される。
【００２０】
図１（Ａ）及び図１（Ｂ）において、透明剛体材１８は、透明プラスチックを板状に成形してなる部材である。透明剛体材１８は、表示領域１５よりも僅かに大きな横幅Ｗ５及び縦幅Ｌ５を有している。この透明剛体材１８における横幅Ｗ５方向に対向する両側端部及び表示領域１３と反対側の側端部には、僅かな幅を持った凸部４０が形成されている。この透明剛体材１８は、操作端末９０におけるトレイ部９４の内周壁に固定されている支持部材（不図示）により、表示領域１５の上方に同領域１５との間に僅かな隙間を空けて支持されている。そして、透明パッドフレーム１６と可撓性シート１９及び２０は、各々の側面を透明剛体材１８の凸部４０の内側に当接させるようにして、透明剛体材１８上における凸部４０の内側に保持されている。
以上が、操作検出装置１０の構成の詳細である。
【００２１】
次に、本実施形態の動作を説明する。まず、パーソナルコンピュータ９１のハードディスク（不図示）には、パーソナルコンピュータ９１のＣＰＵに次の４つの機能を付与する演奏支援プログラムが格納されている。
ａ１．音素材検索支援機能
これは、操作検出装置１０の表示領域１５に音素材データの検索条件を入力するための検索条件入力欄を表示させ、タッチパネル１４への操作によって検索条件入力欄内に入力された特徴を持った音素材データを音源９２内から検索する機能である。
ｂ１．音素材割当機能
これは、音源９２内から検索した各音素材データを、操作検出装置１０の被打叩部３−ｋ（ｋ＝１〜６）の１つ１つに割り当てる機能である。
ｃ１．アイコン表示機能
これは、操作検出装置１０の表示領域１５内における各音素材データが割り当てられた被打叩部３−ｋの真下の位置に、それらの各音素材データを示すアイコンを表示させる機能である。
ｄ１．音素材再生機能
これは、操作検出装置１０の被打叩部３−ｋが打叩される度に、その被打叩部３−ｋに割り当てられている音素材データを再生する機能である。
【００２２】
図６は、本実施形態の動作を示すフローチャートである。図６において、パーソナルコンピュータ９１のＣＰＵは、操作検出装置１０の表示領域１３に検索条件入力欄を表示させる（Ｓ１００）。利用者は、所望の検索条件を検索条件入力欄内に入力する。検索条件の入力は、表示領域１３内にソフトウェアキーボードを表示させてそのキーボード上の文字を一つずつ選択することにより行うとよい。パーソナルコンピュータ９１のＣＰＵは、検索条件入力欄に検索条件が入力されると、その検索条件に最もマッチする音素材データを音源９２内から検索する（Ｓ１１０）。
【００２３】
パーソナルコンピュータ９１のＣＰＵは、音源９２内から音素材データを検索した後、被打叩部３−ｋ（ｋ＝１〜６）のうち未だ音素材データが割り当てられていない被打叩部３−ｋを選び、この被打叩部３−ｋに音源９２内から検索した音素材データを割り当てる（Ｓ１２０）。パーソナルコンピュータ９１のＣＰＵは、表示領域１５内における音素材データを割り当てた被打叩部３−ｋの真下の位置に、その音素材データを示す表示体であるアイコンを表示させる（Ｓ１３０）。図７は、アイコンが表示された状態の一例を示す図である。この図７の例では、被打叩部３−１の真下の位置に、被打叩部３−１に割り当てられた音素材データがダスティーな音素材のものであることを示す砂地模様のアイコンＩＤＵＳＴが表示されている。
【００２４】
以上のステップＳ１００〜ステップＳ１３０の一連の処理は、表示領域１５内における全ての被打叩部３−ｋ（ｋ＝１〜６）の下の位置へのアイコンの表示が済むまで繰り返される。６つのアイコンが表示し終わると（Ｓ１４０：Ｙｅｓ）、利用者は、演奏を開始する。この演奏では、利用者は、被打叩部３−ｋ（ｋ＝１〜６）のうち所望の１つまたは複数の被打叩部３−ｋを自身の手により打叩する。上述したように、操作検出装置１０は、被打叩部３−ｋが打叩される度に、その被打叩部３−ｋの打叩強度を示す打叩強度値データＤＳＴ−ｋをパーソナルコンピュータ９１へ送信する。ＣＰＵは、被打叩部３−ｋの打叩強度を示す打叩強度値データＤＳＴ−ｋを操作検出装置１０から受信する度に（Ｓ１５０：Ｙｅｓ）、その被打叩部３−ｋに割り当てられている音素材データを打叩強度値データＤＳＴ−ｋが示す打叩強度に応じたベロシティ（音量）の音として再生する（Ｓ１６０）。また、ＣＰＵは、演奏の終了を指示する操作が行われると（Ｓ１７０：Ｙｅｓ）、処理を終了する。
【００２５】
以上説明した本実施形態によると、次の効果が得られる。
第１に、本実施形態における操作検出装置１０では、表示領域１５上に、透明剛体材１８が設けられている。また、透明剛体材１８上にメンブレンシート１７が設けられており、メンブレンシート１７上に透明パッドフレーム１６が設けられている。これらのうち透明剛体材１８と透明パッドフレーム１６は透明な素材から形成されている。そして、メンブレンシート１７における被打叩部３−ｋの下の部分は開口４−ｋ及び５−ｋとされ、被打叩部３−ｋの打叩を検出するセンサである接点電極ＰＵＰＰ及びＰＬＯＷが開口４−ｋ及び５−ｋの周囲に設けられている。このような構造になっていることにより、操作検出装置１０では、表示領域１５に表示されているアイコンが被打叩部３−ｋから透けて見える一方、接点電極ＰＵＰＰ及びＰＬＯＷはシート１７における開口４−ｋ及び５−ｋの外側の部分に隠れて見えない。よって、利用者は、アイコンを見ながら被打叩部３−ｋを打叩する、という直感的な演奏を快適に行うことができる。
【００２６】
第２に、本実施形態における操作検出装置１０では、透明パッドフレーム１６の裏面における押し子部６Ｆ−１〜６Ｆ−４と押し子部６Ｂ−１〜６Ｂ−４は横幅Ｗ３方向の中点において厚さが最大になるように緩やかに凸んでいる。押し子部６Ｌ−１〜６Ｌ−４と押し子部６Ｒ−１〜６Ｒ−４は、縦幅Ｌ３方向の中点において厚さが最大になるように緩やかに凸んでいる。押し子部６Ｆ−５，６Ｂ−５，６Ｆ−６，及び６Ｂ−６は、横幅Ｗ３方向の中点において厚さが最大になるように緩やかに凸んでいる。このため、被打叩部３−ｋを打叩する力が弱い場合は、押し子部６Ｆ−ｋ，６Ｂ−ｋ，６Ｌ−ｋ，６Ｒ−ｋにおける中点の近傍の僅かな部分のみによって可撓性シート１９の開口４−ｋの周囲の部分が押し下げられ、被打叩部３−ｋを打叩する力が強い場合は、押し子部６Ｆ−ｋ，６Ｂ−ｋ，６Ｌ−ｋ，６Ｒ−ｋにおけるより広い部分によって可撓性シート１９の開口４−ｋの周囲の部分が押し下げられることになる。よって、被打叩部３−ｋを打叩する力の強弱をその打叩に応じたベロシティへと精度よく変換することができる。
【００２７】
第３に、本実施形態における操作検出装置１０では、表示領域１５上に同領域１５との間に僅かな隙間を空けて透明剛体材１８が支持されており、この透明剛体材１８上にメンブレンシート１７と透明パッドフレーム１６の層が設けられている。このため、透明パッドフレーム１６における被打叩部３−ｋが打叩されてもＬＣＤ１２に負荷が加わることがない。よって、ＬＣＤ１２に負荷が加わることによりその劣化が進む、という事態を防止することができる。
【００２８】
（第２実施形態）
図８は、本発明の第２実施形態である操作検出装置１０Ａとこの操作検出装置１０Ａが装着されるタブレット型コンピュータ９７の構成例を示す図である。この例におけるタブレット型コンピュータ９７は、横幅Ｗ６及び縦幅Ｌ６の寸法を有する略直方体状をなしている。タブレット型コンピュータ９７の表面９８にはその表面９８よりも一回り小さな横幅Ｗ７及び縦幅Ｌ７を有するＬＥＤの表示面９９が露出している。表示面９９の横幅Ｗ７は操作検出装置１０Ａの横幅Ｗ５とほぼ同じであり、表示面９９の縦幅Ｌ７は操作検出装置１０Ａの縦幅Ｌ５よりも十分に長くなっている。また、タブレット型コンピュータ９７における縦幅Ｌ６方向の一端面には、オーディオ出力用、ビデオ出力用、ＵＳＢ（Universal Serial Bus）接続用、電源線用、接地用などの複数種類のピンを持ったコネクタＣＮＭ（図８では不図示）が設けられている。
【００２９】
操作検出装置１０Ａは、第１実施形態の操作検出装置１０（図１（Ａ）及び図１（Ｂ））のものと同じ透明剛体材１８、メンブレンシート１７（図８では不図示）、及び透明パッドフレーム１６（図８では透明パッドフレーム１６の被打叩部３−ｋ（ｋ＝１〜６）のみ図示）と、これらを上から覆う部材であるカバー１０１と、タブレット型コンピュータ９７のコネクタＣＮＭと対をなすコネクタＣＮＦと、ゴム製のバンド１２０と、操作検出装置１０Ａの制御中枢であるＣＰＵ（図８では不図示）と、ＣＰＵからコネクタＣＮＦに至る信号伝送路をなすケーブル１３０とを有する。
【００３０】
より詳細に説明すると、この操作検出装置１０Ａでは、透明剛体材１８、メンブレンシート１７、透明パッド１６、及びカバー１０１が積層されている。カバー１０１は、透明でない素材を透明剛体材１８と同じ横幅Ｗ５及び縦幅Ｌ５を持った直方体状に成形したものである。カバー１０１における横幅Ｗ５方向に延在する両端面の端部とその中点の内側には６つのネジ穴ＨＬが穿設されている。透明剛体材１８における横幅Ｗ５方向に延在する両端面の端部とその中点の内側にも６つのネジ穴ＨＬが穿設されている。カバー１０１と透明剛体材１８とは、透明パッドフレーム１６及びメンブレンシート１７とＣＰＵとを間に挟んでネジ穴ＨＬにネジを締結することにより、互いに固定されている。
【００３１】
カバー１０１には、第１実施形態における操作端末９０の蓋部９３（図２）のものと同様の開口１０２−ｋ（ｋ＝１〜６）が設けられており、この開口１０２−ｋ（ｋ＝１〜６）から透明パッドフレーム１６の被打叩部３−ｋ（ｋ＝１〜６）が露出している。
【００３２】
バンド１２０は、透明剛体材１８の裏面の側からカバー１０１の側に向かって丸められている。バンド１２０の両端の各々はカバー１０１における横幅Ｗ５方向に対向する両端面の各々に固定されている。また、カバー１０１における縦幅Ｌ５方向に対向する両端面のうち一方の中点からはケーブル１３０が引き出され、このケーブル１３０の先端にコネクタＣＮＦが接続されている。
【００３３】
この操作検出装置１０Ａは次のようにしてタブレット型コンピュータ９７に装着される。まず、操作検出装置１０Ａのバンド１２０を横幅Ｗ５方向に拡げ、バンド１２０と透明剛体材１８の裏面とからなる輪の中にタブレット型コンピュータ９７を入れてバンド１２０を縮める。次に、操作検出装置１０ＡのコネクタＣＮＦとタブレット型コンピュータ９７のコネクタＣＮＭとを接続する。その上で、タブレット型コンピュータ９７にインストールされている演奏支援プログラムを起動させる。演奏支援プログラムが起動されると、タブレット型コンピュータ９７のＣＰＵと操作検出装置１０ＡのＣＰＵは、互いに連携しつつ演奏処理を行う。
【００３４】
図９は、演奏処理の処理内容を示す図である。演奏処理では、タブレット型コンピュータ９７のＣＰＵは、被打叩部３−ｋ（ｋ＝１〜６）と同じ位置関係を持って配列された６つの表示体であるアイコンＩ−ｋ（ｋ＝１〜６）を表示面９９における横幅Ｗ７方向の中央に表示させる。利用者は、各アイコンＩ−ｋがタブレット型コンピュータ９７の各被打叩部３−ｋの下から透けて見えるように同コンピュータ９７の装着位置を調整した上で、演奏を開始する。この演奏では、利用者は、被打叩部３−ｋ（ｋ＝１〜６）のうち所望の１つまたは複数の被打叩部３−ｋを自身の手により打叩する。
【００３５】
操作検出装置１０ＡのＣＰＵは、メンブレンシート１７における被打叩部３−ｋ（ｋ＝１〜６）の下の接点電極ＰＵＰＰ及びＰＬＯＷの出力電圧Ｖから被打叩部３−ｋ（ｋ＝１〜６）の打叩の有無を検出する。より具体的には、操作検出装置１０ＡのＣＰＵは、メンブレンシート１７における各被打叩部３−ｋの下の接点電極ＰＵＰＰ及びＰＬＯＷの出力電圧Ｖの微分値ΔＶを求め、この微分値ΔＶが閾値を超えた場合には被打叩部３−ｋが打叩されたとみなす。
【００３６】
操作検出装置１０ＡのＣＰＵは、メンブレンシート１７によって被打叩部３−ｋ（ｋ＝１〜６）への打叩が検出された場合に、当該被打叩部３−ｋの下のアイコンＩ−ｋが示す音を制御するデータであるＭＩＤＩ（Musical Instrument Digital Interface）メッセージを出力する。より具体的に説明すると、操作検出装置１０ＡのＣＰＵは、被打叩部３−ｋ（ｋ＝１〜６）のうちのうちのいずれかの被打叩部３−ｋが打叩された場合には、その時点における微分値ΔＶをアナログ形式からデジタル形式に変換したデータを打叩強度値データＤＳＴ−ｋとし、この打叩強度値データＤＳＴ−ｋをＭＩＤＩにおける音の強さを示すパラメータであるベロシティＶｅｌに変換する。そして、変換したベロシティＶｅｌを含むノートオンのＭＩＤＩメッセージを生成し、このＭＩＤＩメッセージをコネクタＣＮＦ及びＣＮＭを介してタブレット型コンピュータ９７へ供給する。タブレット型コンピュータ９７のＣＰＵは、操作検出装置１０ＡからＭＩＤＩメッセージが供給される度に発音制御処理と表示制御処理の２つの処理を行う。発音制御処理では、ＣＰＵは、被打叩部３−ｋ（ｋ＝１〜６）に割り当ててある６つのチャネルｋＣＨ（ｋ＝１〜６）のうち、打叩された被打叩部３−ｋ（例えば、被打叩部３−１とする）のチャネル１Ｃｈを選択し、このチャネル１Ｃｈの音色の音をＭＩＤＩメッセージ内のベロシティＶｅｌに応じた音量レベルの音としてスピーカＳＰから放音させる。表示制御処理では、ＣＰＵは、表示面９９における６つのアイコンＩ−ｋ（ｋ＝１〜６）のうち、打叩された被打叩部３−１のアイコンＩ−１を選択し、このアイコンＩ−１の表示の態様（例えば、表示色の濃度）をＭＩＤＩメッセージ内のベロシティＶｅｌに応じて変化させる。
【００３７】
以上説明した本実施形態では、操作検出装置１０Ａにおける透明剛体材１８、メンブレンシート１７、及び透明パッドフレーム１６が透明でない素材からなるカバー１０１によって覆われており、カバー１０１に開口１０２−ｋ（ｋ＝１〜６）が設けられている。そして、このカバー１０１の開口１０２−ｋ（ｋ＝１〜６）からは透明パッドフレーム１６の被打叩部３−ｋ（ｋ＝１〜６）が露出している。このような構成になっていることにより、操作検出装置１０Ａでは、タブレット型コンピュータ９７の表示面９９における被打叩部３−ｋの真下の領域の表示内容が被打叩部３−ｋから透けて見える一方、メンブレンシート１７の接点電極ＰＵＰＰ及びＰＬＯＷはカバー１０１における開口１０２−ｋの外側の部分に隠れて見えない。よって、利用者は、第１実施形態と同様に、被打叩部３−ｋ（ｋ＝１〜６）の真下の領域に表示させたアイコンＩ−ｋ（ｋ＝１〜６）を見ながら被打叩部３−ｋを打叩する、という直感的な演奏を快適に行うことができる。
【００３８】
（第３実施形態）
図１０は、本発明の第３実施形態である操作検出装置１０Ｂとこの操作検出装置１０Ｂが装着されるタブレット型コンピュータ９７の構成例を示す図である。この例におけるタブレット型コンピュータ９７は、第２実施形態の例のものと同じである。操作検出装置１０Ｂは、第１実施形態の操作検出装置１０Ａにおけるバンド１２０を除去し、透明剛体材１８の裏面における４隅の内側に４つの吸盤２５１，２５２，２５３，２５４を設けたものである。この操作検出装置１０Ｂは、吸盤２５１，２５２，２５３，２５４をタブレット型コンピュータ９７の表示面９９に向けて押しつけることにより、表示面９９上の所望の位置に装着される。本実施形態によっても、第２実施形態と同様の効果を得ることができる。
【００３９】
（第４実施形態）
図１１は、本発明の第４実施形態である操作検出装置１０Ｃとこの操作検出装置１０Ｃ内に収納されるタブレット型コンピュータ９７の構成例を示す図である。図１２は、操作検出装置１０Ｃ内にタブレット型コンピュータ９７を収納した状態を示す図である。この実施形態の例におけるタブレット型コンピュータ９７は、第２及び第３実施形態の例のものと同じである。操作検出装置１０Ｃは、タブレット型コンピュータ９７よりも一回り大きい横幅Ｗ８、縦幅Ｌ８、及び厚さＴ８を持った筐体３７０内にタブレット型コンピュータ９７を収容するための収容部３７１を設けたものである。
【００４０】
この操作検出装置１０Ｃの収容部３７１における厚さＴ８方向の一方の側は一部分だけが筐体３７０の表面３７２によって覆われている。筐体３７０には、当該筐体３７０の縦幅Ｌ８方向に向い合う側面３８１及び３８２のうちの一方の側面３８１から表面３７２の収容部３７１を覆う部分の縁にかけて開口が設けられており、収容部３７１はこの開口を介して外部に露出している。筐体３７０の表面３７２における収容部３７１を覆う部分の略中央には、矩形状の穴部３７３が設けられている。この穴部３７３には、操作検出装置１０Ａのものと同じ透明剛体材１８、メンブレンシート１７、透明パッドフレーム１６、及びカバー１０１の積層体が埋め込まれている。筐体３７０の表面３７２における収容部３７１の側方には２つのつまみ３７４，３７５が設けられている。また、筐体３７０における側面３８２の裏側にある収容部３７１を向いた面の中央にはコネクタＣＮＦ（図１１では不図示）が設けられている。
【００４１】
この例におけるタブレット型コンピュータ９７は、次のようにして操作検出装置１０Ｃの収容部３７１内に収容される。まず、タブレット型コンピュータ９７を操作検出装置１０Ｃと平行な姿勢にする。次に、タブレット型コンピュータ９７のコネクタＣＮＭを収容部３７１に向け、側面３８１の側から収容部３７１内に挿入する。そして、タブレット型コンピュータ９７を図１１の矢印方向に押し込み、タブレット型コンピュータ９７のコネクタＣＮＭを操作検出装置１０ＣのコネクタＣＮＦに接続する。コネクタＣＮＭとコネクタＣＮＦとが接続されると、タブレット型コンピュータ９７内のＣＰＵと操作検出装置１０Ｃ内のＣＰＵとによる演奏処理が開始される。この演奏処理の処理内容は、第２実施形態における演奏処理の処理内容と同じである。
【００４２】
本実施形態では、以上の手順によって操作検出装置１０Ｃにタブレット型コンピュータ９７が収納された状態（図１２）において、タブレット型コンピュータ９７の表示面９９における被打叩部３−１〜３−４の真下の領域の表示内容が被打叩部３−１〜３−４から透けて見える。また、この状態（図１２）において、メンブレンシートの接点電極ＰＵＰＰ及びＰＬＯＷはカバー１０１における開口１０２−ｋ（ｋ＝１〜６）の外側の部分に隠れて見えない。よって、利用者は、表示面９９における被打叩部３−１〜３−４の真下の領域に表示させたアイコンＩ−１〜Ｉ−４を見ながら被打叩部３−ｋを打叩する、という直感的な演奏を快適に行うことができる。
【００４３】
以上、この発明の第１乃至第４実施形態について説明したが、この発明には他にも実施形態があり得る。例えば、以下の通りである。
（１）上記第１実施形態では、透明パッドフレーム１６における押し子部６Ｆ−ｋ（ｋ＝１〜６），６Ｂ−ｋ（ｋ＝１〜６），６Ｌ−１〜６Ｌ−４，６Ｒ−１〜６Ｒ−４は、各々の中点において厚さが最大になるように緩やかに凸んだ略円弧状の面を有していた。しかし、図１３の断面図（当該実施形態で図１の操作検出装置１０を構成した場合におけるＡ−Ａ’線断面図）に示すように、押し子部６Ｆ−ｋ（ｋ＝１〜６），６Ｂ−ｋ（ｋ＝１〜６），６Ｌ−１〜６Ｌ−４，６Ｒ−１〜６Ｒ−４の全部または一部（図１３の例では、押し子部６Ｆ−１，６Ｆ−２，６Ｆ−３，６Ｆ−４）における可撓性シート１９を向いた面を、可撓性シート１９と平行なフラットな形状としてもよい。
【００４４】
また、図１４の断面図（当該実施形態で図１の操作検出装置１０を構成した場合におけるＡ−Ａ’線断面図）に示すように、押し子部６Ｆ−ｋ（ｋ＝１〜６），６Ｂ−ｋ（ｋ＝１〜６），６Ｌ−１〜６Ｌ−４，６Ｒ−１〜６Ｒ−４の全部または一部（図１４の例では、押し子部６Ｆ−１，６Ｆ−２，６Ｆ−３，６Ｆ−４）における可撓性シート１９を向いた面を、所定ピッチで緩やかな起伏を繰り返す波型状にしてもよい。
【００４５】
また、図１５の断面図（当該実施形態で図１の操作検出装置１０を構成した場合におけるＡ−Ａ’線断面図）に示すように、押し子部６Ｆ−ｋ（ｋ＝１〜６），６Ｂ−ｋ（ｋ＝１〜６），６Ｌ−１〜６Ｌ−４，６Ｒ−１〜６Ｒ−４の全部または一部（図１５の例では、押し子部６Ｆ−１，６Ｆ−２，６Ｆ−３，６Ｆ−４）おける可撓性シート１９を向いた面を、所定ピッチで凹凸を繰り返す串歯状にしてもよい。
【００４６】
（２）上記第１実施形態において、透明パッドフレーム１６における押し子部６Ｆ−１〜６Ｆ−４，６Ｂ−１〜６Ｂ−４，６Ｌ−１〜６Ｌ−４，６Ｒ−１〜６Ｒ−４内に当該押し子部の芯として透明な剛体（例えば透明プラスチック）を埋め込んでもよい。図１６（Ａ）は、この実施形態における透明パッドフレーム１６Ａの断面図（当該実施形態で図１の操作検出装置１０を構成した場合におけるＡ−Ａ’線断面図）である。また、図１６（Ｂ）は、この透明パッドフレーム１６Ａをメンブレンシート１７の側から見た裏面図である。
【００４７】
図１６（Ａ）及び図１６（Ｂ）に示すように、この実施形態では、押し子部６Ｆ−１〜６Ｆ−４よりも僅かに短く押し子部６Ｆ−１〜６Ｆ−４よりも僅かに細い幅を持った芯棒７Ｆ−１〜７Ｆ−４が押し子部６Ｆ−１〜６Ｆ−４内に埋め込まれている。また、押し子部６Ｂ−１〜６Ｂ−４よりも僅かに短く押し子部６Ｂ−１〜６Ｂ−４よりも僅かに細い幅を持った芯棒７Ｂ−１〜７Ｂ−４が押し子部６Ｂ−１〜６Ｂ−４内に埋め込まれている。また、押し子部６Ｌ−１〜６Ｌ−４よりも僅かに短く押し子部６Ｌ−１〜６Ｌ−４よりも僅かに細い幅を持った芯棒７Ｌ−１〜７Ｌ−４が押し子部６Ｌ−１〜６Ｌ−４内に埋め込まれている。また、押し子部６Ｒ−１〜６Ｒ−４よりも僅かに短く押し子部６Ｒ−１〜６Ｒ−４よりも僅かに細い幅を持った芯棒７Ｒ−１〜７Ｒ−４が押し子部６Ｒ−１〜６Ｒ−４内に埋め込まれている。
【００４８】
この実施形態によると、被打叩部３−ｋが打叩され場合に、押し子部６Ｆ−１〜６Ｆ−４，６Ｂ−１〜６Ｂ−４，６Ｌ−１〜６Ｌ−４，６Ｒ−１〜６Ｒ−４における可撓性シート１９を向いた面の全面によって、可撓性シート１９が押下される。よって、被打叩部３−ｋを打叩した力が可撓性シート１９により伝わりやすくなる。
【００４９】
（３）上記第１実施形態における操作検出装置１０は、表示手段であるＬＣＤ１２上に、透明剛体材１８、メンブレンシート１７、及び透明パッドフレーム１６を積層したものであった。しかし、透明剛体材１８、メンブレンシート１７、及び透明パッドフレーム１６からなる操作検出装置１０を、透明パッドフレーム１６の被打叩部３−ｋ（ｋ＝１〜６）に割り当てられている音素材データを示す情報が表示または印刷された他の部材上に載置してもよい。例えば、操作検出装置１０を、操作検出装置１０の被打叩部３−ｋ（ｋ＝１〜６）に割り当てた音素材データを示す６種類のマークが予め印刷された複数種類のシートと組み合わせて利用してもよい。
【００５０】
この操作検出装置１０は、次のように利用する。まず、複数種類のうち一枚のシートを選択する。次に、操作検出装置１０を、被打叩部３−ｋ（ｋ＝１〜６）とシート上に記された６種類の表示体である各マークとを重ねるようにしてシート上に載置し、被打叩部３−ｋ（ｋ＝１〜６）に各々の下のマークが示す音素材データを割り当てる。そして、パーソナルコンピュータ９１は、操作検出装置１０の被打叩部３−ｋの打叩が検出されると、その被打叩部３−ｋに割り当てられている音素材データを再生する。
【００５１】
（４）上記第１実施形態では、透明パッドフレーム１６及び透明剛体材１８は透明な素材により形成されていた。しかし、これらの両方または一方を半透明な素材により形成してもよい。
【００５２】
（５）上記第１実施形態において、表示領域１５における被打叩部３−ｋ（ｋ＝１〜６）の真下の位置に、被打叩部３−ｋ（ｋ＝１〜６）に割り当てた音素材データを示す表示体である文字を表示させてもよい。
【００５３】
（６）上記第１実施形態における操作検出装置１０の透明パッドフレーム１６は、複数個の透明パッドを一体化した部材であった。しかし、透明パッドフレーム１６を１つの透明パッドのみにより構成してもよい。
【００５４】
（７）上記第１実施形態において、操作検出装置１０内に音源と制御部を内蔵し、被打叩部３−ｋへの打叩強度に応じたベロシティの音を当該操作検出装置１０自体が再生するようにしてもよい。この実施形態によると、パーソナルコンピュータ９１を用いずに演奏を行うことができる。
【００５５】
（８）上記第１実施形態において、メンブレンシート１７における開口４−ｋの周囲に、被打叩部３−ｋを分割した複数の領域の各々への打叩の強度を検出する複数のスイッチを設けてもよい。この実施形態は、例えば、次のようにして実現する。図１７に示すように、可撓性シート１９の裏面における開口４−ｋの周囲の接点電極ＰＵＰＰを、各々同寸法のＬ字状をなす接点電極ＰＵＬＵＰＰ，ＰＤＬＵＰＰ，ＰＵＲＵＰＰ，及びＰＤＲＵＰＰにより構成し、可撓性シート２０の表面における開口５−ｋの周囲の接点電極ＰＬＯＷを、各々同寸法のＬ字状をなす接点電極ＰＵＬＬＯＷ，ＰＤＬＬＯＷ，ＰＵＲＬＯＷ，及びＰＤＲＬＯＷにより構成する。
【００５６】
より詳細に説明すると、本実施形態では、開口４−ｋを当該開口４−ｋにおける対向する２辺の中点同士を結ぶ線（図１７の一点鎖線）によって４等分した矩形状の領域を領域４ＵＬ，４ＤＬ，４ＵＲ，４ＤＲとする。そして、撓性シート１９の裏面における領域４ＵＬの外側の２辺を囲むようにして接点電極ＰＵＬＵＰＰが設けられており、領域４ＤＬの外側の２辺を囲むようにして接点電極ＰＤＬＵＰＰが設けられている。また、可撓性シート１９の裏面における領域４ＵＲの外側の２辺を囲むようにして接点電極ＰＵＲＵＰＰが設けられており、領域４ＤＲの外側の２辺を囲むようにして接点電極ＰＤＲＵＰＰが設けられている。
【００５７】
さらに、開口５−ｋを当該開口５−ｋにおける対向する２辺の中点同士を結ぶ線（図１７の一点鎖線）によって４等分した矩形状の領域を領域５ＵＬ，５ＤＬ，５ＵＲ，５ＤＲとする。そして、撓性シート２０の表面における領域５ＵＬの外側の２辺を囲むようにして接点電極ＰＵＬＬＯＷが設けられており、領域５ＤＬの外側の２辺を囲むようにして接点電極ＰＤＬＬＯＷが設けられている。また、可撓性シート１９の裏面における領域５ＵＲの外側の２辺を囲むようにして接点電極ＰＵＲＬＯＷが設けられており、領域５ＤＲの外側の２辺を囲むようにして接点電極ＰＤＲＬＯＷが設けられている。
【００５８】
そして、本実施形態では、被打叩部３−ｋにおける領域４ＵＬ，５ＵＬの真上の部分が打叩された場合、可撓性シート１９の接点電極ＰＵＬＵＰＰが接点電極ＰＵＬＬＯＷに接触し、接点電極ＰＵＬＵＰＰ及びＰＵＬＬＯＷを含む回路から得られる出力電圧Ｖ１が接点電極ＰＵＬＵＰＰ及びＰＵＬＬＯＷの接触面積に応じて大きくなる。被打叩部３−ｋにおける領域４ＤＬ，５ＤＬの真上の部分が打叩された場合、可撓性シート１９の接点電極ＰＤＬＵＰＰが接点電極ＰＤＬＬＯＷに接触し、接点電極ＰＤＬＵＰＰ及びＰＤＬＬＯＷを含む回路から得られる出力電圧Ｖ２が接点電極ＰＤＬＵＰＰ及びＰＤＬＬＯＷの接触面積に応じて大きくなる。
【００５９】
また、被打叩部３−ｋにおける領域４ＵＲ，５ＵＲの真上の部分が打叩された場合、可撓性シート１９の接点電極ＰＵＲＵＰＰが接点電極ＰＵＲＬＯＷに接触し、接点電極ＰＵＲＵＰＰ及びＰＵＲＬＯＷを含む回路から得られる出力電圧Ｖ３が接点電極ＰＵＲＵＰＰ及びＰＵＲＬＯＷの接触面積に応じて大きくなる。被打叩部３−ｋにおける領域４ＤＲ，５ＤＲの真上の部分が打叩された場合、可撓性シート１９の接点電極ＰＤＲＵＰＰが接点電極ＰＤＲＬＯＷに接触し、接点電極ＰＤＲＵＰＰ及びＰＤＲＬＯＷを含む回路から得られる出力電圧Ｖ４が接点電極ＰＤＲＵＰＰ及びＰＤＲＬＯＷの接触面積に応じて大きくなる。
【００６０】
以上説明した本実施形態によると、出力電圧Ｖ１，Ｖ２，Ｖ３，Ｖ４により、被打叩部３−ｋを４等分した４つの領域への打叩の強度を個別に検出することができる。
【００６１】
（９）上記第１乃至第４実施形態において、メンブレンシート１７をなす２枚の可撓性シート１９及び２０を異なる種類の感圧部材（例えば、フォースセンサやひずみゲージ）により置き換えてもよい。図１８は、可撓性シート１９及び２０の代わりに用いる感圧部材である打叩検出シート５００の構成を示す図である。この打叩検出シート５００は、メンブレンシート１７の可撓性シート１９（図１（Ｂ））と同寸法の板体５０１における開口５０２−ｋ（ｋ＝１〜６）の外側の部分にフォースセンサ５０３−１〜５０３−４、５０３Ｌ−５、５０３Ｒ−５、５０３Ｌ−６、及び５０３Ｒ−６を設けたものである。より具体的に説明すると、この打叩検出シート５００の板体５０１における開口５０２−１と開口５０２−５の間にはフォースセンサ５０３−１が設けられており、開口５０２−２と開口５０２−５の間にはフォースセンサ５０３−２が設けられている。板体５０１における開口５０２−３と開口５０２−６の間にはフォースセンサ５０３−３が設けられており、開口５０２−４と開口５０２−６の間にはフォースセンサ５０３−４が設けられている。また、板体５０１における開口５０２−５の横幅Ｗ４方向の両端部の外側にはフォースセンサ５０３Ｌ−５及び５０３Ｒ−５が設けられている。板体５０１における開口５０２−６の横幅Ｗ４方向の両端部の外側にはフォースセンサ５０３Ｌ−６及び５０３Ｒ−６が設けられている。
【００６２】
打叩検出シート５００におけるフォースセンサ５０３−１〜５０３−４は、被打叩部３−１〜３−４への打叩に応じてＯＮとなるスイッチとしての役割を果たし、フォースセンサ５０３Ｌ−５、５０３Ｒ−５、５０３Ｌ−６、及び５０３Ｒ−６は、被打叩部３−５及び３−６への打叩に応じてＯＮとなるスイッチとしての役割を果たす。より具体的に説明すると、被打叩部３−１〜３−４のいずれか（例えば、被打叩部３−１とする）が打叩された場合、被打叩部３−１によってフォースセンサ５０３−１が押され、フォースセンサ５０３−１に力が加わる。フォースセンサ５０３−１に力が加わると、その力の大きさに応じて同センサ５０３−１の出力電圧Ｖが大きくなる。そして、このフォースセンサ５０３−１の出力電圧Ｖは、Ａ／Ｄ変換部（不図示）によってアナログ信号からデジタル信号に変換され、被打叩部３−１に対する打叩の強度を示す打叩強度値データＤＳＴ−１としてパーソナルコンピュータ９１またはタブレット型コンピュータ９７へ送信される。また、被打叩部３−５及び３−６のいずれか（例えば、被打叩部３−５とする）が打叩された場合、被打叩部３−５によってフォースセンサ５０３Ｌ−５及び５０３Ｒ−５が押され、フォースセンサ５０３Ｌ−５及び５０３Ｒ−５に力が加わる。フォースセンサ５０３Ｌ−５及び５０３Ｒ−５に力が加わると、その力の大きさに応じて同セン５０３Ｌ−５及び５０３Ｒ−５の出力電圧Ｖが大きくなる。そして、このフォースセンサ５０３Ｌ−５及び５０３Ｒ−５の出力電圧Ｖは、Ａ／Ｄ変換部（不図示）によってアナログ信号からデジタル信号に変換され、被打叩部３−５に対する打叩の強度を示す打叩強度値データＤＳＴ−５としてパーソナルコンピュータ９１またはタブレット型コンピュータ９７へ送信される。この実施形態によっても、第１実施形態と同様の効果を得ることができる。
【００６３】
（１０）上記第２及び第３実施形態において、タブレット型コンピュータ９７に装着されている操作検出装置１０Ａまたは１０Ｂの装着位置に合わせてアイコンＩ−ｋ（ｋ＝１〜６）の表示位置を自動的に調整するようにしてもよい。この実施形態におけるタブレット型コンピュータ９７には、同コンピュータ９７の表示面９９に装着された操作検出装置１０Ａまたは１０Ｂの横幅Ｗ７方向の位置座標Ｘと縦幅Ｌ７方向の位置座標Ｙとを検出するセンサが搭載されている。タブレット型コンピュータ９７は、このセンサの出力信号Ｘ及びＹから、操作検出装置１０Ａまたは１０Ｂの各被打叩部３−ｋの真下の表示位置の横幅Ｗ７方向の位置座標ＸＢ−ｋ（ｋ＝１〜６）と、それらの縦幅Ｌ７方向の位置座標ＹＢ−ｋ（ｋ＝１〜６）を計算する。そして、タブレット型コンピュータ９７は、表示面９９における各アイコンＩ−ｋを位置座標ＸＢ−ｋ及びＹＢ−ｋが示す表示位置と一致させる。
【００６４】
（１１）上記第３実施形態では、透明剛体材１８の裏面に吸盤２５１，２５２，２５３，２５４を設け、この吸盤２５１，２５２，２５３，２５４の吸着力によってタブレット型コンピュータ９７の表示面９９に操作検出装置１０Ｂを装着した。しかし、吸盤２５１，２５２，２５３，２５４に代えてゲル状のシートやマジックテープ（登録商標）を用いてもよい。マジックテープ（登録商標）を用いる場合は、透明剛体材１８の裏面と操作検出装置１０Ｂの表示面９９の双方にマジックテープ（登録商標）を設けるようにするとよい。
【００６５】
（１２）上記第１乃至第４実施形態は、本発明を、被打叩部３−ｋ（ｋ＝１〜６）に対する手指の打叩によって演奏を行う為の演奏インターフェースに適用したものであった。しかし、本発明の用途はこれに限らない。例えば、本発明をドラム演奏練習用の電子打楽器として利用してもよい。この態様は、次のようにして実現する。まず、第１実施形態における操作検出装置１０の被打叩部３−ｋ（ｋ＝１〜６）を打楽器の打撃面を模した真円状とする。そして、表示領域１３における各被打叩部３−ｋの真下の位置に、打叩すべき被打叩部３−ｋを案内する絵を順に表示させていく。利用者は、手にスティックを握り、被打叩部３−ｋ（ｋ＝１〜６）のうち当該被打叩部３−ｋの下から絵が透けて見えたものをスティックにより順に打叩していくことにより演奏を行う。また、本発明を歩行運動を支援する機能を持ったヘルスメータとして利用してもよい。この態様は、次のようにして実現する。まず、第１実施形態の操作検出装置１０をその透明パッドフレーム１６の被打叩部３−ｋ（ｋ＝１〜６）に人の足を載せられる程度まで大型化する。そして、表示領域１３における各被打叩部３−ｋの真下の位置に、足裏によって踏むべき被打叩部３−ｋを案内する絵を順に表示させていく。利用者は、被打叩部３−ｋ（ｋ＝１〜６）のうち当該被打叩部３−ｋの下から絵が透けて見えたものを足裏により踏むことにより歩行動作を行う。この場合において、表示領域１３における各被打叩部３−ｋの真下の位置に、絵以外の画像（例えば、利用者の健康状態の推移を示すグラフ）を表示させてもよい。
【００６６】
（１３）上記第４実施形態における操作検出装置１０Ｃを小型化し、スマートフォンを収納して操作する操作検出装置を構成してもよい。
【符号の説明】
【００６７】
２，４，５，９９…開口，３…被打叩部、６…押し子部、１０…操作検出装置、１２…ＬＣＤ、１３，１５…表示領域、１４…タッチパネル、１６…透明パッドフレーム、１７…メンブレンシート、１８…透明剛体材、１９，２０…可撓性シート、９０…操作端末、９１…パーソナルコンピュータ、９２…音源、９７…タブレット型コンピュータ、９９…表示面、１０１…カバー、１２０…バンド、１３０…ケーブル、２５１，２５２，２５３，２５４…吸盤、３７０…筐体、３７４，３７５…つまみ。
【図１】
0005760393.tif 000002
【図２】
0005760393.tif 000003
【図３】
0005760393.tif 000004
【図４】
0005760393.tif 000005
【図５】
0005760393.tif 000006
【図６】
0005760393.tif 000007
【図７】
0005760393.tif 000008
【図８】
0005760393.tif 000009
【図９】
0005760393.tif 000010
【図１０】
0005760393.tif 000011
【図１１】
0005760393.tif 000012
【図１２】
0005760393.tif 000013
【図１３】
0005760393.tif 000014
【図１４】
0005760393.tif 000015
【図１５】
0005760393.tif 000016
【図１６】
0005760393.tif 000017
【図１７】
0005760393.tif 000018
【図１８】
0005760393.tif 000019